(57)【要約】      （修正有）【課題】座席に座って眠る人に安定した支えを提供し、睡眠をとりやすくさせることができ、ひいては睡眠の品質を高めることができる、補助エアーベルト装置及び補助支持ベルト装置を提供する。【解決手段】本補助エアーベルト装置は、座席上に設置され、エアーベルト本体１、空気注入装置２、及び固定装置３を含む。前記エアーベルト本体は、可塑性を備え、その内部に空気室１１を形成し、少なくとも１つの空気注入口を設置する。前記空気注入装置と前記エアーベルト本体の空気注入口は繋がっていて、前記空気注入装置は、前記エアーベルト本体に対して選択的に空気注入を行う。前記固定装置は前記エアーベルト本体に接続する。前記エアーベルト本体は、空気注入され膨張した後、立体の外形を構成し、使用者の体と頭を寄りかからせることができ、これにより、座席上に座って眠る人に安定した支えを提供して睡眠をとりやすくさせ、ひいては睡眠の品質を高めることができる。【選択図】図４
0003155871.tif 000002
【実用新案登録請求の範囲】
【請求項１】
座席上に設置する補助エアーベルト装置であって、
可塑性を備え、その内部に空気室を形成し、少なくとも一つの空気注入口を設置する、エアーベルト本体と、
前記エアーベルト本体の空気注入口と繋がっていて、前記エアーベルト本体に対して選択的に空気注入を行い、前記エアーベルト本体が空気注入され膨張した後に立体の外形を構成する、空気注入装置と、
前記エアーベルト本体に接続される、固定装置とを含むことを特徴とする、補助エアーベルト装置。
【請求項２】
ビルトイン方式で前記座席上に設置することを特徴とする、請求項１に記載の補助エアーベルト装置。
【請求項３】
前記エアーベルト本体は前記座席内部の収納スペース内に設置することを特徴とする、請求項２に記載の補助エアーベルト装置。
【請求項４】
着脱方式で前記座席上に設置することを特徴とする、請求項１に記載の補助エアーベルト装置。
【請求項５】
前記エアーベルト本体及び前記固定装置は座席体上に設置し、前記座席体は、着脱方式で前記座席上に組み合わせることを特徴とする、請求項４に記載の補助エアーベルト装置。
【請求項６】
前記エアーベルト本体の外形は、線型、湾曲状或いはブロック状を呈することを特徴とする、請求項１に記載の補助エアーベルト装置。
【請求項７】
前記エアーベルト本体は更に複数設置し、その複数のエアーベルト本体は一つに接続するか、又は、独立した個体にすることができることを特徴とする、請求項１に記載の補助エアーベルト装置。
【請求項８】
前記空気注入装置は自動式であることを特徴とする、請求項１に記載の補助エアーベルト装置。
【請求項９】
前記空気注入装置は電動ポンプであることを特徴とする、請求項８に記載の補助エアーベルト装置。
【請求項１０】
前記空気注入装置は手動式であることを特徴とする、請求項１に記載の補助エアーベルト装置。
【請求項１１】
前記空気注入装置は空気注入ボールであることを特徴とする、請求項１０に記載の補助エアーベルト装置。
【請求項１２】
前記エアーベルト本体は空気注入量を調整できるタイプであることを特徴とする、請求項１に記載の補助エアーベルト装置。
【請求項１３】
前記固定装置は第一フック及び第二フックを含み、前記第一フックは前記エアーベルト本体の一端に固定され、前記第二フックは前記座席の一方側に固定され、前記第一フックと前記第二フックは、選択的に差し込んで結合することを特徴とする、請求項１に記載の補助エアーベルト装置。
【請求項１４】
前記第一フックは雄フックであり、前記第二フックは雌フックであり、前記第二フック上には解除ボタンを設置することを特徴とする、請求項１３に記載の補助エアーベルト装置。
【請求項１５】
前記空気注入装置と前記エアーベルト本体の空気注入口は、接続管によって繋がっていることを特徴とする、請求項１に記載の補助エアーベルト装置。
【請求項１６】
座席上に設置される補助エアーベルト装置であって、
可塑性を備え、その内部に空気室を形成し、少なくとも一つの空気注入口を設置する、エアーベルト本体と、
前記エアーベルト本体の空気注入口と繋がっていて、前記エアーベルト本体に対して選択的に空気注入を行い、前記エアーベルト本体が空気注入され膨張した後に立体の外形を構成する、空気注入装置とを含むことを特徴とする、補助エアーベルト装置。
【請求項１７】
座席上に設置される補助支持ベルト装置であって、
中空体であり、内部に充填物を収納することで、立体の外形を構成する、支持ベルト本体と、
前記支持ベルト本体に接続する固定装置とを含むことを特徴とする、補助支持ベルト装置。
【請求項１８】
前記充填物は、ポリウレタンフォーム又は形状記憶ポリウレタンフォームであることを特徴とする、請求項１７に記載の補助支持ベルト装置。
【考案の詳細な説明】
【技術分野】
【０００１】
本考案は補助エアーベルト装置及び補助支持ベルト装置に関し、特に、座席上に設置することで、座席に座って眠る人に安定した支えを提供し、睡眠をとりやすくさせることができる補助エアーベルト装置及び補助支持ベルト装置に関する。
【背景技術】
【０００２】
現代人は仕事で多忙であるため、長距離の乗り物に乗る（例えば、車に乗る、飛行機に乗る、船に乗る等）時には、忙しい中のわずかな時間を利用し、座ったまま眠りたくなる。しかしながら、乗り物が移動する際には、常に加速や減速が行われ、更には角を曲がることもある。このため、座席に座って眠る人は、体や頭の安定した支えがないため、体の傾きが生じやすく、睡眠がとりにくくなり、更には、目が覚めた後、首の凝りや痛みを感じることになる。
【０００３】
従って、本考案者は、上述の欠点を改善並びに解決するために、度重なる研究と学術理論の運用を組み合わせることで、上述の欠点を改善するのに合理的で有効な設計である本考案を提出する。
【考案の概要】
【考案が解決しようとする課題】
【０００４】
本考案の主な目的は、座席上に設置することができ、座席に座って眠る人に安定した支えを提供し、睡眠をとりやすくさせることができ、ひいては睡眠の品質を高めることができる、補助エアーベルト装置及び補助支持ベルト装置を提供することである。
【課題を解決するための手段】
【０００５】
上述の目的を達成するために、本考案が提供する補助エアーベルト装置は、座席上に設置され、エアーベルト本体、空気注入装置、及び固定装置を含む。前記エアーベルト本体は、可塑性を備え、その内部に空気室を形成し、少なくとも一つの空気注入口を設置する。前記空気注入装置は、前記エアーベルト本体の空気注入口と繋がっていて、前記エアーベルト本体に対して選択的に空気注入を行い、前記エアーベルト本体が空気注入され膨脹した後、立体の外形を構成する。前記固定装置は前記エアーベルト本体に接続する。
【考案の効果】
【０００６】
本考案は、以下の有益な効果を有する。本考案の補助エアーベルト装置は、座席上に設置することができ、前記エアーベルト本体が空気注入され膨脹した後、立体の外形を構成し、使用者の体や頭を寄りかからせることができ、椅子に座って眠る人に安定した支えを提供して、体の傾きが生じないため睡眠しやすくなり、ひいては睡眠の品質を高めることができる。
【０００７】
本考案の補助エアーベルト装置は、乗り物に備わっている安全ベルトを補助し、固定する作用と緩衝保護作用を有し、交通のアクシデントが発生した時、使用者を保護できる設計になっている。
【０００８】
本考案が更に提供する補助支持ベルト装置は、使用者の体や頭を寄りかからせることができ、椅子に座って眠る人に安定した支えを提供することができる。
【図面の簡単な説明】
【０００９】
【図１】本考案の補助エアーベルト装置の実施例１の立体分解図である。
【図１Ａ】本考案のエアーベルト本体の概略図である。
【図２】本考案の補助エアーベルト装置の実施例１の立体組合せ概略図である。
【図３】本考案の補助エアーベルト装置の実施例１の使用状態図１である。
【図４】本考案の補助エアーベルト装置の実施例１の使用状態図２である。
【図５】本考案の補助エアーベルト装置の実施例２の立体組合せ概略図である。
【考案を実施するための形態】
【００１０】
本考案が所定の目的を達するために採用した技術、方法及び効果を一層理解できるよう、以下に本考案に関する詳細説明と添付図面を参照することで、本考案の目的、特徴がこれによって深く具体的に理解されると信じる。然しながら、添付図面は参考と説明用に供したに過ぎず、本考案に制限を課すものではない。
【実施例】
【００１１】
図１から図５を参照する。本考案が提供する補助エアーベルト装置は、車、飛行機、船等の各種乗り物の座席上に設置することができ、更には一般的な全ての座席上にも設置することができる。その応用範囲には制限がなく、前記補助エアーベルト装置の設置方式や数量も限定されず、ニーズに応じて適切に変化させることができる。
【００１２】
前記補助エアーベルト装置は、着脱方式で座席上に設置するか、又は、ビルトイン方式で座席上に設置し、エアーベルト本体１、空気注入装置２及び固定装置３を含む。その内、前記エアーベルト本体１は、可塑性に富んだ材料でつくられる。前記エアーベルト本体１は可塑性を備え、前記エアーベルト本体１の外形及びサイズには制限がなく、前記エアーベルト本体１の外形は、線型、湾曲状、ブロック状、或いはその他の適当な形状を呈することができる。前記エアーベルト本体１の外形は、設置した位置の違いに応じて適切に変化させることができる。前記エアーベルト本体１は中空体であり、前記エアーベルト本体１内部は空気室１１を形成する。前記空気室１１は、一つ設置することができ、或いは適当に区画することで複数の互いにつながっている空気室１１を形成することもできる。前記空気室１１と外部環境は隔離されている。前記エアーベルト本体１の表面には、少なくとも一つの空気注入口１２を設置し（図１Ａに図示）、前記空気注入口１２は、空気室１１と外部環境につながっていて、外部環境の空気を、空気注入口１２を通じて空気室１１に侵入させ、空気を前記エアーベルト本体１内部に充填することができる。
【００１３】
本考案の実施例１において、前記補助エアーベルト装置は、着脱方式で座席１０上（図１及び図２に図示）に設置し、エアーベルト本体１及び固定装置３は座席体４上に設置し、前記座席体４は中空体であってエアーベルト本体１を座席体４内に収納することができ、これにより、ネジ４１の締付け等の着脱方式によって前記座席体４を座席１０上に取り付けることができる。前記座席体４は、前記座席１０の一方側の上方箇所に位置する。前記エアーベルト本体１が空気注入が行われていない時、巻き上げ収納或いは折畳み収納などの方法で前記座席体４内に収納することができる。前記エアーベルト本体１は、座席体４の一方側に対応する開口によって前記座席体４の外まで伸ばすことができる。前記エアーベルト本体１が前記座席体４の外まで伸ばされ、更に空気注入されて膨張した後、立体の外形を構成し、座席１０上に座って眠る人に安定した支えを提供することができる。前記エアーベルト本体１が空気注入され前記座席体４の外まで伸ばされた時、使用者の体や頭などの部位を傾斜状、水平状、又は垂直状に縛ることができる。
【００１４】
本考案の実施例２において、前記補助エアーベルト装置は、ビルトイン方式で座席１０上に設置する（図５に図示）。前記エアーベルト本体１は、前記座席１０内部の収納スペース１０１内に設置することができ、前記収納スペース１０１は前記座席１０の一方側の上方箇所に位置し、前記エアーベルト本体１がまだ空気注入されていない時、巻き上げ収納或いは折畳み収納などの方法等によって前記収納スペース１０１内に収納することができる。
【００１５】
前記空気注入装置２は、手動式又は自動式であり、前記空気注入装置２は、前記エアーベルト本体１に対して選択的に空気注入を行う。本実施例において、前記空気注入装置２は自動式であり、前記空気注入装置２は電動ポンプである。前記空気注入装置２は前記座席１０の一方側に設置し、前記空気注入装置２と前記エアーベルト本体１の空気注入口１２は接続管２１によって繋がっていて、外部環境の空気を、前記空気注入装置２及び接続管２１によってエアーベルト本体１の空気室１１内に注入することができ、前記エアーベルト本体１が前記座席１０の外まで伸ばされ（図３に図示）、空気注入され膨張した後（図４に図示）立体の外形を構成することができる。
【００１６】
前記エアーベルト本体１は、空気注入量を調整できるタイプであり、使用者の体の違いに応じてエアーベルト本体１の空気注入の注入量を調整することができ、使用する際、体にフィットして快適な気分を味わうことができる。空気注入量を調整できるタイプでは、自動センサ方式又は手動方式で前記空気注入装置２の作動を制御して、エアーベルト本体１の空気注入量を適切に調整することができる。
【００１７】
本考案のもう一つの実施例において、前記空気注入装置２は手動方式である。前記空気注入装置２は空気注入ボール（図示せず）であり、前記空気注入ボールは、前記座席１０外部に設置する。前記空気注入ボールと前記エアーベルト本体１の空気注入口１２は繋がっていて、外部環境の空気は、前記空気注入ボールを押すことによってエアーベルト本体１の空気室１１内に注入され、前記エアーベルト本体１は、空気注入されて膨張した後に立体の外形を構成することができ、座席１０上に座って眠る人に安定した支えを提供することができる。
【００１８】
前記固定装置３は、第一フック３１及び第二フック３２を含む。前記第一フック３１は空気注入口１２から遠く離れた前記エアーベルト本体１の一端に固定し、前記第二フック３２は前記座席１０のもう一方側の下方箇所に固定し、本実施例において、前記第一フック３１は雄フックであり、前記第二フック３２は、前記第一フック３１と対応する雌フックであり、且つ第二フック３２上には解除ボタン３３を設置し、前記第一フック３１と前記第二フック３２は、選択的に差し込んで結合する。前記エアーベルト本体１は、使用者の肩、胸、首及び／或いは顔等の部位を避けることができ、前記エアーベルト本体１の一端の第一フック３１と第二フック３２を相互に差し込んで結合し、前記エアーベルト本体１を使用者の体上に堅固に固定することができる。その他、前記解除ボタン３３を押すことで、第一フック３１と第二フック３２を分離させることができる。本考案の固定装置３のタイプは限定されず、その他の同様の効果をもつ固定装置と取り替えることもできる。例えばフックファスナー或いはロープ等を固定装置にすることができる。
【００１９】
本考案のもう一つの実施例において、エアーベルト本体１は複数設置することもでき、複数のエアーベルト本体１は一つに接続するか、又は、独立した個体にすることができる。エアーベルト本体１を複数設置した時、その複数のエアーベルト本体１は、一つの空気注入装置２を共用する。
【００２０】
また、図１から図４に示すように、本考案の補助エアーベルト装置は、固定装置を設置せず、座席１０上端箇所に二つの補助エアーベルト装置を設置することができる。前記二つの補助エアーベルト装置のエアーベルト本体１ａは、座席体４ａ上に設置することで、着脱方式により前記二つの座席体４ａを座席１０上に取り付けることができる。前記二つの補助エアーベルト装置のエアーベルト本体１ａは、ビルトイン方式で座席１０上に設置することもできる（図５に図示）。前記二つのエアーベルト本体１ａは、接続管２１ａで前記空気注入装置２と接続する。前記二つのエアーベルト本体１ａは、使用者の肩を避けることができ、前記二つの補助エアーベルト装置のエアーベルト本体１ａが空気注入された後、座席１０上に座って眠る人に安定した支えを提供することができる。
【００２１】
本考案の補助エアーベルト装置は座席１０上に設置することができ、前記エアーベルト本体１が空気注入され膨張した後、立体の外形を構成して、使用者の体や頭、或いはその他の部位を寄りかからせることができ、座席１０上に座って眠る人に安定した支えを提供し、体の傾きを生じないため睡眠をとりやすくし、ひいては睡眠の品質を高め、目を覚ました後に感じる首の痛みやコリを生じないようにすることができる。
【００２２】
本考案の補助エアーベルト装置は、乗り物に備え付けの安全ベルト５を補助するために用いることもでき、固定する作用と緩衝保護の作用を備え、乗り物にアクシデントが発生したとき、使用者を保護することができる設計になっている。
【００２３】
本考案が更に提供する補助支持ベルト装置は、支持ベルト本体（図示せず）及び固定装置（図示せず）を含む。前記支持ベルト本体の構造及び機能は、上述したエアーベルト本体と大体同じであり、前記支持ベルト本体と上述したエアーベルト本体の違いは、前記支持ベルト本体は中空体であり、その内部にはポリウレタンフォーム又は形状記憶ポリウレタンフォーム等の充填物を置くことで、前記支持ベルト本体に立体の外形を構成させ、空気は注入しないため、空気注入装置は省略することができる、という点だけである。前記固定装置は、同様に前記支持ベルト本体に接続することで、前記支持ベルト本体を使用者の体上に堅固に固定することができる。前記補助支持ベルト装置は、使用者の体や頭を寄りかからせることもでき、座席に座って眠る人に安定した支えを提供することができる。
【００２４】
上記内容は本考案の好ましい実施例に過ぎず、本考案の実用新案登録請求の範囲を限定するものではないため、本考案で開示した趣旨を逸脱しないで完成された等価変更若しくは補正は、全て本考案における実用新案登録請求の範囲内に含まれるものとする。
【符号の説明】
【００２５】
１      エアーベルト本体
１１    空気室
１２    空気注入口
１ａ    エアーベルト本体
２      空気注入装置
２１    接続管
２１ａ  接続管
３      固定装置
３１    第一フック
３２    第二フック
３３    解除ボタン
４      座席体
４１    ネジ
４ａ    座席体
５      安全ベルト
１０    座席
１０１  収納スペース
【図１】
0003155871.tif 000003
【図１Ａ】
0003155871.tif 000004
【図２】
0003155871.tif 000005
【図３】
0003155871.tif 000006
【図４】
0003155871.tif 000007
【図５】
0003155871.tif 000008